(57)【要約】      （修正有）【課題】保温をせずに必要量の液体を得ることができる、使い勝手の良い省電力な電気湯沸かし器を提供する。【解決手段】筐体２と、その筐体２の上部に設けられた蓋体３と、筐体２に取り付けてある取っ手４と、注ぎ口５と、を有することを特徴とする電気湯沸かし器１によって、使用者が必要量を必要時に適宜供給することができ、消費電力を低減しながら必要量の液量を得ることができる。【選択図】図１
2008264420.tif 000002
【特許請求の範囲】
【請求項１】
上部及び下部にそれぞれ上開口部及び下開口部が設けられ、当該上開口部から注入される液体を収容する収容部と、
前記収容部外周と筐体との間に形成され、前記下開口部から供給される液体を加熱する加熱部と、
前記収容部から前記加熱部へと液体を供給する供給手段と、
を有し、
前記収容部の前記下開口部と前記加熱部とは、常時は遮断され、前記供給手段を機能させることで当該下開口部と当該加熱部とが連通されて、当該収容部から当該加熱部へと液体が供給されることを特徴とする電気湯沸かし器。
【請求項２】
前記供給手段は、
常時は前記収容部の前記下開口部を塞ぎ、前記供給手段を機能させることで上下方向に変動可能な底部と、
前記底部から前記収容部の前記上開口部に向けて伸びた押圧軸と、
を有することを特徴とする請求項１記載の電気湯沸かし器。
【請求項３】
前記筐体上部には、前記収容部の前記上開口部を開閉する蓋体が設けられており、
前記蓋体に設けられた押圧部を押圧することで当該押圧部が突出し、前記押圧軸上部と接触することで前記供給手段を機能させることを特徴とする請求項１又は２記載の電気湯沸かし器。
【請求項４】
前記加熱部の底部には加熱用ヒータが設けられており、
前記筐体に設けられたスイッチを入れることで前記加熱用ヒータが印加され、
前記加熱部の液体が所定温度以上になったときに、前記スイッチが自動的に切れて、前記加熱用ヒータへの印加が停止されることを特徴とする請求項１から３のいずれか記載の電気湯沸かし器。
【請求項５】
前記加熱部の上部には、当該加熱部内の液体を吐出する注ぎ口を有することを特徴とする請求項１から４のいずれか記載の電気湯沸かし器。
【発明の詳細な説明】
【技術分野】
【０００１】
本発明は、液体を加熱する電気湯沸かし器に関し、特に、液体が収容される収容部と、液体を加熱する加熱部と、を分離して構成してなる電気湯沸かし器に関するものである。
【背景技術】
【０００２】
従来、この種の電気湯沸かし器は、湯を沸かして保温する加熱容器と、液体を収容する給水容器と、給水容器の液体を加熱容器に給水する給水手段と、を備えて、加熱容器の水量を使用者の使用度合いを検知して、必要なときに必要な量の液体を供給するように構成することで、常時使用者が必要とする湯量を保温することができるようにしている（例えば、特許文献１参照）。
【０００３】
特許文献１に記載された従来の電気湯沸かし器は、液体を加熱保温する加熱容器と、加熱容器に液体を供給する給水容器と、加熱容器内の液体を加熱保温する加熱手段と、使用状態を検出する使用検出手段と、使用状態に応じて給水容器の液体を加熱容器へ供給する供給量を変化させる制御手段と、により構成したものである。これによって、使用者の使用状態に応じて、必要な液量だけを自動的に保温できるようにしている。
【０００４】
【特許文献１】特開２００５−２７０３７９（［０００８］、図１）
【発明の開示】
【発明が解決しようとする課題】
【０００５】
しかしながら、この種の電気湯沸かし器では、使用状態に応じて常時使用者が必要とする液量を自動的に保温する機能を有しているため、保温をせずに必要量を必要時に適宜供給することはできない。すなわち、使用者が必要とする液量が常時一定とは限らず、結果的に使用しない液量を保温しておくことに余計な消費電力を必要としていた。
【０００６】
また、この種の電気湯沸かし器では、使用状態に応じて自動的に保温する機能を有しているため、普段の使用度合いとは異なった量の湯が必要となった場合に、保温されている液量では不足することもあった。
【０００７】
本発明は、以上の点に鑑みてなされたものであり、その目的は、使用者が必要量を必要時に適宜供給することにより、保温をせずに必要量の液体を得ることができる、使い勝手の良い省電力な電気湯沸かし器を提供するものである。
【課題を解決するための手段】
【０００８】
以下のような課題を解決するために、本発明は、以下のものを提供する。
【０００９】
（１）  上部及び下部にそれぞれ上開口部及び下開口部が設けられ、当該上開口部から注入される液体を収容する収容部と、前記収容部外周と筐体との間に形成され、前記下開口部から供給される液体を加熱する加熱部と、前記収容部から前記加熱部へと液体を供給する供給手段と、を有し、前記収容部の前記下開口部と前記加熱部とは、常時は遮断され、前記供給手段を機能させることで当該下開口部と当該加熱部とが連通されて、当該収容部から当該加熱部へと液体が供給されることを特徴とする電気湯沸かし器。
【００１０】
上記構成を有する本発明によれば、収容部の下開口部と加熱部とは、常時は遮断され、使用者が供給手段を操作して機能させることで下開口部と加熱部とが連通されて、収容部から加熱部へと液体が供給されることから、使用者が必要時に必要量を加熱部へと適宜供給し加熱することができる。
【００１１】
（２）  前記供給手段は、常時は前記収容部の前記下開口部を塞ぎ、前記供給手段を機能させることで上下方向に変動可能な底部と、前記底部から前記収容部の前記上開口部に向けて伸びた押圧軸と、を有することを特徴とする電気湯沸かし器。
【００１２】
上記構成を有する本発明によれば、使用者が供給手段を操作して押圧軸を下方向に変動させることにより、押圧軸に連動して供給手段の底部が下方向に変動し、収容部の下開口部と加熱部との遮断が解かれ収容部の液体が加熱部に供給される。また、押圧軸を上方向に変動すれば、収容部の下開口部に供給手段の底部が位置することで、再び収容部の下開口部と加熱部とが遮断されることから、収容部から加熱部への液体の供給が停止される。これにより、使用者が必要時に必要量を加熱部へと適宜供給することができる。
【００１３】
（３）  前記筐体上部には、前記収容部の前記上開口部を開閉する蓋体が設けられており、前記蓋体に設けられた押圧部を押圧することで当該押圧部が突出し、前記押圧軸上部と接触することで前記供給手段を機能させることを特徴とする電気湯沸かし器。
【００１４】
上記構成を有する本発明によれば、使用者が蓋体に設けられた押圧部を押圧することで、押圧部と押圧軸上部とが接触し、さらに押圧部を押圧して負荷をかけることで供給手段を機能させることができるから、押圧部の押圧によって使用者が必要時に必要量を加熱部へと適宜供給することができる。
【００１５】
（４）  前記加熱部の底部には加熱用ヒータが設けられており、前記筐体に設けられたスイッチを入れることで前記加熱用ヒータが印加され、前記加熱部の液体が所定温度以上になったときに、前記スイッチが自動的に切れて、前記加熱用ヒータへの印加が停止されることを特徴とする電気湯沸かし器。
【００１６】
上記構成を有する本発明によれば、使用者がスイッチを入れることで加熱部内の液体を加熱することができ、加熱部の液体が所定温度以上になったときにスイッチが自動的に切れるから、加熱部による保温をすることなく必要量の液体を得ることができる。
【００１７】
（５）  前記加熱部の上部には、当該加熱部内の液体を吐出する注ぎ口を有することを特徴とする電気湯沸かし器。
【００１８】
上記構成を有する本発明によれば、注ぎ口から加熱部内の液体を吐出することができるから、使用者が必要時に必要量の液体を得ることできる。
【発明の効果】
【００１９】
以上説明したように、本発明は、使用者が必要量を必要時に適宜供給することにより、必要量の液体だけを加熱することができ、保温をすることなく必要量の液体を必要時に提供しながら、消費電力を低減することができる。
【発明を実施するための最良の形態】
【００２０】
以下、本発明を実施するための最良の形態について、図面に基づいて説明する。
【００２１】
[外観構成]
図１は、本発明の実施の形態に係る電気湯沸かし器１の斜視図である。
【００２２】
図１において、電気湯沸かし器１は、主に、筐体２と、その筐体２の上部に設けられた蓋体３と、筐体２に取り付けてある取っ手４と、注ぎ口５と、から構成されている。
【００２３】
図１に示すように、電気湯沸かし器１は、上部の外径に比べて下部の外径が上部から下部にかけて徐々に大きくなっている。上部の外径よりも下部の外径が大きいため、器具自体の安定性が高く、電気湯沸かし器１が倒れて内部の液体が外に漏れることを防止できる。また、図１に示すように、電気湯沸かし器１の側面はその全部又は一部が透明又は半透明であり、この透明又は半透明部分には目盛り６が刻まれている。使用者は、透明又は半透明であるから電気湯沸かし器１内の液体の水位を知ることができ、さらにその水位と目盛り６とを比べることにより、電気湯沸かし器１内の液量を知ることができる。なお、電気湯沸かし器１は、その内部で加熱部９と収容部８とに分離されているため、加熱部９内の液量を知ることができる目盛り６Bと、収容部８内の液量を知ることができる目盛り６Aと、がそれぞれ刻まれている。
【００２４】
筐体２は、電気湯沸かし器１の外観を構成するとともに、筐体２の内壁面は加熱部９の一側面を構成している。すなわち、電気湯沸かし器１は、筐体２内に筐体２の外周より小さく、筐体２の底部より高い位置に収容部８を有し、筐体２と収容部８との空隙を加熱部９として形成している。筐体２は、上部が開口されており、この開口された位置に蓋体３が設けられる。また、筐体２の上部前面も一部されており、この一部開口された位置が注ぎ口となる。
【００２５】
蓋体３は、筐体２及び収容部の上開口部を開閉するものであり、円形状の蓋体３の中央には押圧部が設けられている。押圧部は、上部が円板状で下部が円板から突出して形成しているＴ字型の形状をなしており、その下部は蓋体３から若干突出しているが、押圧部を押圧することで、押圧部がさらに突出する。電気湯沸かし器１に液体を供給する時には蓋体３を開けるが、通常は蓋体３によって閉じられており、ごみ等が収容部８内に入るのを防ぐことができる。
【００２６】
取っ手４は、円弧状をなし、使用者が保持することにより容器全体を持ち上げることができる。また、取っ手４にはスイッチ７が設けられており、使用者がスイッチ７を操作することで電気湯沸かし器１内の液体を加熱することができる。
【００２７】
注ぎ口５は、加熱部内の液体を吐出するものとして、加熱部の上部に設けられており、
使用者は取っ手３を把持し電気湯沸かし器１を傾けることにより、電気湯沸かし器１内の液体を注ぎ口５より排出することができる。
【００２８】
[内部構成]
図２は、本発明の実施の形態に係る電気湯沸かし器１の断面図である。
【００２９】
図２において、電気湯沸かし器１の内部は、液体を収容する収容部８と、液体を加熱する加熱部９と、収容部８から加熱部９へと液体を供給する供給手段と、加熱部９の底部に設けられている加熱用ヒータ１０と、から構成されている。
【００３０】
収容部８は、その上部及び下部が開口されていて、上部及び下部にそれぞれ上開口部及び下開口部が設けられており、液体を収容するための部位である。使用者は、上開口部から液体を注入することにより、収容部８に液体を供給することができる。収容部８は、加熱部９の周囲に筐体の側面から離間して設けられているが、収容部８内の液量を知ることができるように、収容部８の一部は突出して形成されて、電気湯沸かし器１の側面の一部を構成している。
【００３１】
加熱部９は、収容部外周と筐体２との間に形成されており、底部には加熱用ヒータ１０が設けられている。加熱部９は、液体を加熱し、その加熱された液体を収容する部位である。図１に示すように、筐体２の側面が半透明であり、加熱部用の目盛り６Ｂが刻んであるため、使用者は外部から加熱部９の液量を知ることができる。したがって、使用者は、外部から確認しながら液体を供給することにより、加熱部９へ供給する液量を調節することができる。すなわち、加熱部９に必要量だけを供給することができるので、使用者は必要量のみを加熱することができる。
【００３２】
加熱用ヒータ１０は、加熱部９の底部に設けられており、加熱部内の液体を加熱するためのものである。スイッチ７を入れることにより、加熱用ヒータ１０が印加され、加熱部内の液体が加熱される。また、液体が所定温度以上になったときに、スイッチ７が自動的に切れて、加熱用ヒータ１０への印加が停止されるため、加熱部内の液体を保温することなく、使用者が必要量を必要時に供給することができる。
【００３３】
[供給手段]
図３は、本発明の実施の形態に係る電気湯沸かし器１の供給手段を説明するための図である。
【００３４】
供給手段は、収容部８の下開口部を塞ぐ上下方向に変動可能な底部１１と、底部１１から収容部８の上開口部に向けて垂直に伸びた押圧軸１２と、押圧軸１２に付勢されたばね１４と、から構成される（図２参照）。
【００３５】
底部１１は、図３（ａ）に示すように、常時は収容部８の下開口部を塞ぎ、収容部内の液体を収容する。したがって、収容部８内に液体を溜めておくことができる。一方、図３（ｂ）に示すように、底部１１が下方向に変動すると、収容部８内の液体は下方の加熱部９へと自重により流れ込む。したがって、使用者は供給手段を操作することで収容部８の液体を加熱部９に供給することができ、使用者の必要時に必要量を適宜供給できる。
【００３６】
押圧軸１２は、底部１１を上下方向に変動させるためのものである。すなわち、押圧軸１２は、底部１１から上下開口部に向けて伸びており、押圧軸１２を上下方向に変動させると、それに伴って底部１１が変動する。したがって、使用者は底部１１を直接変動させずに、押圧軸１２を変動させることで、収容部８内の液体を加熱部９に供給できる。
【００３７】
ばね１４は、押圧軸１２に付勢されており、その上端は押圧軸１２に固定され、下端は収容部８の所定の高さに固定されている。ばね１４は、自然長から縮められた状態で固定されており、その弾力により底部１１を常時上方向に持ち上げ、収容部８の下開口部を塞いでいる。したがって、下開口部は常時閉じられた状態となり、収容部８に液体を収容することができる。また、ばね１４は自然長から縮められた状態で固定されているが、収容部８に液体を収容しても、その液体の自重により底部が下方に変動することのないような弾力をもってばねは付勢されている。
【００３８】
また、図３（ｂ）に示すように、使用者が押圧部１３を押圧して、収容部８から加熱部９へ液体を供給するときには、ばね１４の上端は下方向に変動するが下端は変動せず、ばね１４はさらに縮められ弾力が増す。そして、下方向に変動している押圧軸１２及び底部１１を上方向に持ち上げようとする。そのため、使用者が押圧部１３を押圧することを止めると、押圧軸１２及び底部１１は、ばね１４の弾力により上方向に変動し、収容部８の下開口部を再び塞ぐ。
【００３９】
すなわち、使用者が押圧部１３を押圧すると、押圧軸１２及び底部１１が下方向に変動し、収容部８の下開口部と加熱部９とが連通されて、収容部８から加熱部９へと液体が供給される。一方、使用者が押圧部１３を押圧することを止めると、押圧軸１２及び底部１１がばね１４の弾性力によって上方向に変動し、収容部８の下開口部と加熱部９とを遮断し、液体の供給が止まる。
【００４０】
したがって、使用者は、押圧部１３を押圧する時間を変えることによって、加熱部９に供給する液量を調整することができ、必要時に必要量だけを供給することができる。
【産業上の利用可能性】
【００４１】
以上のように、本発明にかかる電機湯沸かし器は、使用者が必要量を必要時に適宜供給することができるので、消費電力を低減しながら必要量の液量を得ることができるものとして有用である。
【図面の簡単な説明】
【００４２】
【図１】本発明の実施の形態に係る電気湯沸かし器の斜視図である。
【図２】本発明の実施の形態に係る電気湯沸かし器の断面図である。
【図３】本発明の実施の形態に係る電気湯沸かし器の供給手段を説明するための図である。
【符号の説明】
【００４３】
１  電気湯沸かし器
２  筐体
３  蓋体
４  取っ手
５  注ぎ口
６  目盛り
７  スイッチ
８  収容部
９  加熱部
１０  ヒータ
１１  底部
１２  押圧軸
１３  押圧部
１４  ばね
【図１】
2008264420.tif 000003
【図２】
2008264420.tif 000004
【図３】
2008264420.tif 000005